(57)【要約】【課題】水耕栽培用容器や香拡散用容器や加湿器用容器などの各種のインテリア商品として使用することができるボトル型のプラスチック製容器を提供する。【解決手段】口部１ａと肩部１ｂと胴部１ｃを有するボトル型の容器本体１が、肩部１ｂの下方部で水平に切断されて上部容器２と下部容器３とに分割されており、上部容器２の下部には下部容器３の開口に接合されて両容器によりボトル型の容器本体１を形成する嵌込端部６ａと、その上部にあって該上部容器２を反転させたときに下部容器３の開口に接合されて下部容器３の上部に上部容器２を倒立保持させる嵌込部６ｂとを設けた。【選択図】図１
0003172291.tif 000002
【実用新案登録請求の範囲】
【請求項１】
口部と肩部と胴部を有するボトル型の容器本体が、肩部の下方部で水平に切断されて上部容器と下部容器とに分割されており、上部容器の下部には下部容器の開口に接合されて両容器によりボトル型の容器本体を形成する嵌込端部と、その上部にあって該上部容器を反転させたときに下部容器の開口に接合されて下部容器の上部に上部容器を倒立保持させる嵌込部とを設けたことを特徴とするボトル型のプラスチック製容器。
【請求項２】
下部容器の開口は、上端にむけ徐々に内径を小さくしている係合片部により形成され、一方、上部容器の下端部には前記係合片部に係合可能な第１の係合用凹部、及び第２の係合用凹部が形成されており、前記係合片部と第１の係合用凹部とを係合させることにより下部容器の上方に上部容器を正立させてボトル状とした第１の態様と、係合片部と第２の係合用凹部とを係合させることにより下部容器の内部に上部容器を倒立させて収納状態とした第２の態様の２態様をとれるようにしたことを特徴とする請求項１に記載のボトル型のプラスチック製容器。
【請求項３】
容器本体が、ペット（ＰＥＴ：ポリエチレンテレフタレート）樹脂からなるものである請求項１または２に記載のボトル型のプラスチック製容器。
【請求項４】
第１の態様において、容器本体内に種、保水材、吸水フィルターの水耕栽培に必要な物品が収納されて包装用容器として使用に供され、第２の態様において、倒立している上部容器内に前記種、保水材、吸水フィルターがセットされ、下部容器内に水が充填されて水耕栽培を行う水耕栽培用容器として使用に供される請求項１〜３のいずれかに記載のボトル型のプラスチック製容器。
【請求項５】
第１の態様において、容器本体内に芳香剤、吸い上げフィルター、香拡散部材の香拡散に必要な物品が収納されて包装用容器として使用に供され、第２の態様において、倒立している上部容器内に前記香拡散部材、吸い上げフィルターがセットされ、下部容器内に液状芳香剤が充填されて香の拡散を行う香拡散用容器として使用に供される請求項１〜３のいずれかに記載のボトル型のプラスチック製容器。
【請求項６】
第１の態様において、容器本体内に吸水性素材が収納されて包装用容器として使用に供され、第２の態様において、倒立している上部容器内に前記吸水性素材がセットされ、下部容器内に水が充填されて水分の気化を行う加湿器用容器として使用に供される請求項１〜３のいずれかに記載のボトル型のプラスチック製容器。
【考案の詳細な説明】
【技術分野】
【０００１】
本考案は、水耕栽培用容器や香拡散用容器や加湿器用容器などの各種のインテリア商品として使用することができるボトル型のプラスチック製容器に関するものである。
【背景技術】
【０００２】
従来から、水耕栽培用容器としては、水を充填したコップ状容器の上部に球根保持用のプレートをセットしたものが知られている（例えば、特許文献１、２を参照）。しかしながら、従来は水耕栽培用容器と、水耕栽培に必要な球根、種、保水材、吸水フィルター等とは、別々に販売されているため、購入が面倒であるという問題があった。また、記念品や贈り物にしたいという要望もよく聞かれるが、一つにまとまった商品となっていないため難しいという問題があった。
【０００３】
一方、インテリア商品として、芳香剤や簡易加湿器等、様々な商品が開発されているが、いずれも機能のみを追求した包装容器型のものであり、部屋のインテリアとして使用するには趣向に欠けるものであった。また、記念品や贈答品にも不向きなものであった。
【０００４】
そこで、斬新なパッケージにより商品を流通させることができ、また水耕栽培用容器や香拡散用容器や加湿器用容器などの各種のインテリア商品として使用することができ、しかも記念品や贈答品とすることもできる新たな商品の開発が望まれていた。
【先行技術文献】
【特許文献】
【０００５】
【特許文献１】特開２００１−７８６００号公報
【特許文献２】特開２０００−２７９０４３号公報
【考案の概要】
【考案が解決しようとする課題】
【０００６】
本考案は上記のような問題を解決して、従来と異なる斬新なパッケージとして商品を流通させることができ、また水耕栽培用容器や香拡散用容器や加湿器用容器などの各種の趣のあるインテリア商品として使用することができるボトル型のプラスチック製容器を提供することを目的として完成されたものである。
【課題を解決するための手段】
【０００７】
上記課題を解決するためになされた本考案のボトル型のプラスチック製容器は、口部と肩部と胴部を有するボトル型の容器本体が、肩部の下方部で水平に切断されて上部容器と下部容器とに分割されており、上部容器の下部には下部容器の開口に接合されて両容器によりボトル型の容器本体を形成する嵌込端部と、その上部にあって該上部容器を反転させたときに下部容器の開口に接合されて下部容器の上部に上部容器を倒立保持させる嵌込部とを設けたことを特徴とするものである。
【０００８】
また、下部容器の開口は、上端にむけ徐々に内径を小さくしている係合片部により形成され、一方、上部容器の下端部には前記係合片部に係合可能な第１の係合用凹部、及び第２の係合用凹部が形成されており、前記係合片部と第１の係合用凹部とを係合させることにより下部容器の上方に上部容器を正立させてボトル状とした第１の態様と、係合片部と第２の係合用凹部とを係合させることにより下部容器の内部に上部容器を倒立させて収納状態とした第２の態様の２態様をとれるようにしたものが好ましく、これを請求項２に係る考案とする。
【０００９】
前記容器本体が、ペット（ＰＥＴ：ポリエチレンテレフタレート）樹脂からなるものが好ましく、これを請求項３に係る考案とする。
【００１０】
なお、第１の態様において、容器本体内に種、保水材、吸水フィルターの水耕栽培に必要な物品が収納されて包装用容器として使用に供され、第２の態様において、倒立している上部容器内に前記種、保水材、吸水フィルターがセットされ、下部容器内に水が充填されて水耕栽培を行う水耕栽培用容器として使用に供されるものとすることができ、これを請求項４に係る考案とする。
【００１１】
また、第１の態様において、容器本体内に芳香剤、吸い上げフィルター、香拡散部材の香拡散に必要な物品が収納されて包装用容器として使用に供され、第２の態様において、倒立している上部容器内に前記香拡散部材、吸い上げフィルターがセットされ、下部容器内に液状芳香剤が充填されて香の拡散を行う香拡散用容器として使用に供されるものとすることができ、これを請求項５に係る考案とする。
【００１２】
更に、第１の態様において、容器本体内に吸水性素材が収納されて包装用容器として使用に供され、第２の態様において、倒立している上部容器内に前記吸水性素材がセットされ、下部容器内に水が充填されて水分の気化を行う加湿器用容器として使用に供されるものとすることができ、これを請求項６に係る考案とする。
【考案の効果】
【００１３】
請求項１に係る考案では、容器本体が上部容器と下部容器とに分割されており、上部容器の下部には下部容器の開口に接合されて両容器によりボトル型の容器本体を形成する嵌込端部と、その上部にあって該上部容器を反転させたときに下部容器の開口に接合されて下部容器の上部に上部容器を倒立保持させる嵌込部とを設けたので、包装用容器としての使用と、例えば水耕栽培用容器としての使用に供することができ、また斬新なパッケージとして商品を流通させることも可能となる。
【００１４】
また、請求項２に係る考案では、下部容器の開口は、上端にむけ徐々に内径を小さくしている係合片部により形成され、一方、上部容器の下端部には前記係合片部に係合可能な第１の係合用凹部、及び第２の係合用凹部が形成されているものとしたので、上部容器と下部容器の係合を確実で、かつ節度感のあるものとすることができる。
【００１５】
請求項３に係る考案では、前記容器本体が、ペット（ＰＥＴ：ポリエチレンテレフタレート）樹脂からなるものとしたので、十分な強度があり、また安価に製造することができ、更にはリサイクルもできて地球環境にも優しいものとなる。
【００１６】
請求項４に係る考案では、第１の態様において、容器本体内に種、保水材、吸水フィルターの水耕栽培に必要な物品が収納されて包装用容器として使用に供され、第２の態様において、倒立している上部容器内に前記種、保水材、吸水フィルターがセットされ、下部容器内に水が充填されて水耕栽培を行う水耕栽培用容器として使用に供されるものとしたので、斬新なパッケージとして商品を流通させることができ、また水耕栽培用キットのインテリア商品として記念品や贈り物にも供することができることとなる。
【００１７】
請求項５に係る考案では、また、第１の態様において、容器本体内に芳香剤、吸い上げフィルター、香拡散部材の香拡散に必要な物品が収納されて包装用容器として使用に供され、第２の態様において、倒立している上部容器内に前記香拡散部材、吸い上げフィルターがセットされ、下部容器内に液状芳香剤が充填されて香の拡散を行う香拡散用容器として使用に供されるものとしたので、斬新なパッケージとして商品を流通させることができ、また香拡散用キットのインテリア商品として記念品や贈り物にも供することができることとなる。
【００１８】
請求項６に係る考案では、更に、第１の態様において、容器本体内に吸水性素材が収納されて包装用容器として使用に供され、第２の態様において、倒立している上部容器内に前記吸水性素材がセットされ、下部容器内に水が充填されて水分の気化を行う加湿器用容器として使用に供されるものとしたので、斬新なパッケージとして商品を流通させることができ、また加湿器用キットのインテリア商品として記念品や贈り物にも供することができることとなる。
【図面の簡単な説明】
【００１９】
【図１】（ａ）は本考案の第１の態様を示す正面図、（ｂ）は要部の拡大断面図である。
【図２】（ａ）は本考案の第２の態様を示す正面図、（ｂ）は要部の拡大断面図である。
【図３】上部容器と下部容器とに分割する前のプレ容器本体を示す正面図である。
【図４】水耕栽培用容器として使用に供される場合の第１の態様を示す正面図である。
【図５】水耕栽培用容器として使用に供される場合の第２の態様を示す正面図である。
【図６】香拡散用容器として使用に供される場合の第２の態様を示す正面図である。
【図７】加湿器用容器として使用に供される場合の第２の態様を示す正面図である。
【考案を実施するための形態】
【００２０】
以下に、図面を参照しつつ本考案の好ましい実施の形態を示す。
図１（ａ）は本考案の第１の態様を示す正面図、図２（ａ）は本考案の第２の態様を示す正面図、図１（ｂ）、図２（ｂ）は各々要部の拡大断面図である。図において、１はペット（ＰＥＴ：ポリエチレンテレフタレート）樹脂からなる一般的なボトル型の容器本体であり、口部１ａと肩部１ｂと胴部１ｃと底部１ｄから構成されている。
なお、容器本体１は、塩化ビニルやポリエチレン等の合成樹脂でもよいが、機械的強度、耐久性、リサイクル性の点からペット樹脂が最も適している。
【００２１】
図１、及び図２に示すように、前記容器本体１は、肩部１ｂの下方部において水平に切断されて上部容器２と下部容器３とに２分割されている。また、上部容器２の下部には下部容器３の開口に接合されて両容器によりボトル型の容器本体１を形成する嵌込端部６ａと、その上部にあって該上部容器２を反転させたときに下部容器３の開口に接合されて下部容器の３上部に上部容器２を倒立保持させる嵌込部６ｂとが設けられている。
【００２２】
また、下部容器の開口は、上端にむけ徐々に内径を小さくしている係合片部４により形成され、一方、上部容器２の下部には前記係合片部４に係合可能な第１の係合用凹部５ａ、及び第２の係合用凹部５ｂが形成されている。
そして、図１に示すように、前記係合片部４と第１の係合用凹部５ａとを係合させることにより下部容器３の上方に上部容器２を正立させてボトル状とした第１の態様と、図２に示すように、係合片部４と第２の係合用凹部５ｂとを係合させることにより下部容器３の内部に上部容器２を倒立させて収納状態とした第２の態様の２態様をとれるように構成されている。
【００２３】
前記第１の係合用凹部５ａと第２の係合用凹部５ｂの直径は、係合片部４で形成される直径よりも小さいものとなっており、係合片部４と第１の係合用凹部５ａ、及び第２の係合用凹部５ｂとの係合が確実に、かつ節度感よく行えるよう構成されている。
【００２４】
前記容器本体１は、射出成形法により、図３に示すような補強リング部１２付きのプレ容器１１として成形した後に、ラインＬ１及びラインＬ２に沿って切断することで上部容器２と下部容器３とに２分割可能な容器として成形される。前記プレ容器１１には補強リング部１２が形成されており、切断工程ではこの補強リング部１２に支えられた状態で切断するため、係合片部４の直径は寸法精度の高いものとなる。この結果、係合片部４と第１の係合用凹部５ａ、及び第２の係合用凹部５ｂとの係合が確実に、かつ節度感よく行われることとなる。
【００２５】
このように構成された本発明のボトル型のプラスチック製容器は、容器本体１が上部容器２と下部容器３とに分割されており、下部容器３の上方に上部容器２を正立させてボトル状とした第１の態様と、下部容器３の内部に上部容器２を倒立させて収納状態とした第２の態様の２態様をとれるようにしたので、商品を包装する包装用容器としての使用と、前記商品を取り出して容器に装着する、例えば水耕栽培用容器としての使用に供することができるものである。また、斬新なパッケージでありそのままインテリアとすることができ、更に一つのパッケージ商品としてまとまっているので、記念品や贈答品として利用することも可能である。
【００２６】
以下に、本発明の容器を具体的な商品に使用した場合につき説明する。
図４は、水耕栽培用容器として使用に供される場合を示している。下部容器３の上方に上部容器２を正立させてボトル状とした第１の態様において、容器本体１内に水耕栽培用の種や球根２１、保水材、吸水フィルターの水耕栽培に必要な物品２２、及び使用説明書２３が収納されて包装用容器としての使用に供され、水耕栽培用キットとして販売に供される。この場合、キャップ２０が被せられペットボトル型の包装として趣向性を高めている。
【００２７】
使用に際しては、図５に示すように、下部容器３の内部に上部容器２を倒立させて収納状態とした第２の態様において、倒立している上部容器２内に前記球根２１、保水材、吸水フィルターをセットし、更に下部容器３内に水を充填して水耕栽培用容器として使用に供される。
この時、前記上部容器２は係合片部４と第２の係合用凹部５ｂとが係合しているため、下部容器３の上方にしっかりと固定されることとなり、安定した状態を保つことができる。なお、空気抜き用孔２４を形成しておくのが好ましい。
【００２８】
図６は、香拡散用容器として使用に供される場合を示している。第１の態様において、容器本体内に芳香剤、吸い上げフィルター、香拡散部材の香拡散に必要な物品が収納されて包装用容器として使用に供される。また、図６に示すように、第２の態様において、倒立している上部容器２内に前記香拡散部材２５、吸い上げフィルター２６をセットし、下部容器３内に液状芳香剤を充填して香の拡散を行う香拡散用容器として使用に供する。
なお、前記香拡散部材２５、吸い上げフィルター２６は特殊な紙や不織布などからなる吸水性素材からなるものである。また、香拡散部材２５は花形状など任意の形状とすることができるので、インテリアとしての趣も奏することができる。
【００２９】
図７は、加湿器用容器として使用に供される場合を示している。第１の態様において、容器本体内に吸水性素材が収納されて包装用容器として使用に供される。また、図７に示すように、第２の態様において、倒立している上部容器内に前記吸水性素材２７をセットし、下部容器２内に水を充填して水分の気化を行う加湿器用容器として使用に供する。
前記吸水性素材２７は特殊な紙や不織布などの素材からなるものであり、植物や動物や幾何学形状など任意の形状にしてインテリア性を高めることができる。また、下部容器２内に充填する水を着色したり、芳香剤を添加したりすればリラックス効果をより高めることができる。
【符号の説明】
【００３０】
１  容器本体
１ａ  口部
１ｂ  肩部
１ｃ  胴部
１ｄ  底部
２  上部容器
３  下部容器
４  係合片部
５ａ  第１の係合用凹部
５ｂ  第２の係合用凹部
６ａ  嵌込端部
６ｂ  嵌込部
１１  プレ容器
１２  補強リング部
２０  キャップ
２１  種や球根
２２  水耕栽培に必要な物品
２３  使用説明書
２４  空気抜き用孔
２５  香拡散部材
２６  吸い上げフィルター
２７  吸水性素材
【図１】
0003172291.tif 000003
【図２】
0003172291.tif 000004
【図３】
0003172291.tif 000005
【図４】
0003172291.tif 000006
【図５】
0003172291.tif 000007
【図６】
0003172291.tif 000008
【図７】
0003172291.tif 000009
【手続補正書】
【提出日】平成23年10月11日(2011.10.11)
【手続補正１】
【補正対象書類名】実用新案登録請求の範囲
【補正対象項目名】全文
【補正方法】変更
【補正の内容】
【実用新案登録請求の範囲】
【請求項１】
口部と肩部と胴部を有するボトル型の容器本体が、肩部の下方部で水平に切断されて上部容器と下部容器とに分割されており、上部容器の下部には下部容器の開口に接合されて両容器によりボトル型の容器本体を形成する嵌込端部と、その上部にあって該上部容器を反転させたときに下部容器の開口に接合されて下部容器の上部に上部容器を倒立保持させる嵌込部とを設けたことを特徴とするボトル型のプラスチック製容器。
【請求項２】
下部容器の開口は、上端にむけ徐々に内径を小さくしている係合片部により形成され、一方、上部容器の下端部には前記係合片部に係合可能な第１の係合用凹部、及び第２の係合用凹部が形成されており、前記係合片部と第１の係合用凹部とを係合させることにより下部容器の上方に上部容器を正立させてボトル状とした第１の態様と、係合片部と第２の係合用凹部とを係合させることにより下部容器の内部に上部容器を倒立させて収納状態とした第２の態様の２態様をとれるようにしたことを特徴とする請求項１に記載のボトル型のプラスチック製容器。
【請求項３】
容器本体が、ペット（ＰＥＴ：ポリエチレンテレフタレート）樹脂からなるものである請求項１または２に記載のボトル型のプラスチック製容器。
【請求項４】
第１の態様において、容器本体内に種、保水材、吸水フィルターの水耕栽培に必要な物品が収納されて包装用容器として使用に供され、第２の態様において、倒立している上部容器内に前記種、保水材、吸水フィルターがセットされ、下部容器内に水が充填されて水耕栽培を行う水耕栽培用容器として使用に供される請求項２に記載のボトル型のプラスチック製容器。
【請求項５】
第１の態様において、容器本体内に芳香剤、吸い上げフィルター、香拡散部材の香拡散に必要な物品が収納されて包装用容器として使用に供され、第２の態様において、倒立している上部容器内に前記香拡散部材、吸い上げフィルターがセットされ、下部容器内に液状芳香剤が充填されて香の拡散を行う香拡散用容器として使用に供される請求項２に記載のボトル型のプラスチック製容器。
【請求項６】
第１の態様において、容器本体内に吸水性素材が収納されて包装用容器として使用に供され、第２の態様において、倒立している上部容器内に前記吸水性素材がセットされ、下部容器内に水が充填されて水分の気化を行う加湿器用容器として使用に供される請求項２に記載のボトル型のプラスチック製容器。